(57)【要約】【課題】  Ｈ４タイプのハロゲンバルブと交換でき、発光部を直接動かすことなく、ロービームとハイビームとの切り替えが行えるようにしたヘッドランプ用放電管ユニット及びヘッドランプを提供する。【解決手段】  ＨＩＤ放電管１２の発光部２５の一部を遮蔽する光源遮蔽板１３を設け、この光源遮蔽板１３を、電磁ソレノイド１４により、ＨＩＤ放電管１２に沿って移動可能にしておく。ロービームに設定されると、発光部２５のうちのハイビームの光源Ｓ２となる部分が光源遮蔽板１３により遮蔽され、ロービームの光源Ｓ１のみ点灯されたのと等価になる。ハイビームに設定されると、発光部２５のうちのロービームの光源Ｓ１となる部分が遮蔽され、ハイビームの光源Ｓ２のみ点灯されているのと等価になる。【選択図】        図３
2005209546.tif 000002
【特許請求の範囲】
【請求項１】
光ビームを発光する放電管と、
前記放電管の発光部の一部を遮蔽する光源遮蔽部と、
前記光源遮蔽部を前記放電管に沿って移動させるアクチュエータと、
前記放電管からの光ビームの一部を遮光して配光を形成する遮光部とからなり、
前記アクチュエータにより前記光源遮蔽部を移動させ、ロービーム設定時とハイビーム設定時とに応じて前記放電管の発光部の一部を遮蔽する
ようにしたことを特徴とするヘッドランプ用放電管ユニット。
【請求項２】
前記放電管は、ロービームの光源とハイビームの光源の範囲をカバーする長さの発光部を有するようにしたことを特徴とする請求項１に記載のヘッドランプ用放電管ユニット。
【請求項３】
前記光源遮蔽部を、前記ロービームに設定したときには、前記放電管の発光部のうちのハイビームの光源となる部分が遮蔽され、前記ハイビームに設定したときには、前記放電管の発光部のうちのロービームの光源となる部分が遮蔽されるように移動するようにしたことを特徴とする請求項１に記載のヘッドランプ用放電管ユニット。
【請求項４】
前記光源遮蔽部を、前記ロービームに設定したときには、前記放電管の発光部のうちのハイビームの光源となる部分が遮蔽され、前記ハイビームに設定したときには、前記放電管の発光部から外れた位置に移動するようにしたことを特徴とする請求項１に記載のヘッドランプ用放電管ユニット。
【請求項５】
前記アクチュエータは、電磁ソレノイドであることを特徴とする請求項１に記載のヘッドランプ用放電管ユニット。
【請求項６】
前記アクチュエータは、モータであることを特徴とする請求項１に記載のヘッドランプ用放電管ユニット。
【請求項７】
前記放電管を光軸方向に対して傾斜を有するように配置したことを特徴とする請求項１に記載のヘッドランプ用放電管ユニット。
【請求項８】
前記光源遮蔽部と前記遮光部とを一体化し、前記一体化された光源遮蔽部と遮光部とを前記放電管に沿って移動させるようにしたことを特徴とする請求項１に記載のヘッドランプ用放電管ユニット。
【請求項９】
前記遮光部を、前記放電管に遮光塗料を塗布して形成するようにしたことを特徴とする請求項１に記載のヘッドランプ用放電管ユニット。
【請求項１０】
光ビームを発光する放電管と、前記放電管の発光部の一部を遮蔽する光源遮蔽部と、前記光源遮蔽部を前記放電管に沿って移動させるアクチュエータと、前記放電管からの光ビームの一部を遮光して配光を形成する遮光部とからなり、前記アクチュエータにより前記光源遮蔽部を移動させ、ハイビーム設定時とロービーム設定時とに応じて前記放電管の発光部の一部を遮蔽するようにした放電管ユニットと、
前記放電管ユニットからの光ビームを反射するリフレクタと
からなることを特徴とするヘッドランプ。
【発明の詳細な説明】
【技術分野】
【０００１】
本発明は、ダブルフィラメントのハロゲンバルブと交換可能なＨＩＤ（High Intensity Discharge：高輝度放電）放電管のヘッドランプ用放電管ユニット及びこのようなヘッドランプ用放電管ユニットが取り付けられたヘッドランプに関する。
【背景技術】
【０００２】
自動車用のヘッドランプとして、ＨＩＤ放電管を用いたものが注目されている。ＨＩＤ放電管は、バルブ内に、始動用のキセノンガス（又はアルゴンガス）と、水銀、ナトリウム、金属ハロゲン化合物などの発光用添加金属とが封入されている。ＨＩＤ放電管を発光する際には、電極に高電圧が印加される。電極に高電圧が印加されると、バルブ内に封入されているキセノンガスが電離して放電が開始する。これによってバルブ内の温度が上昇し、バルブ内の金属が蒸発して気体になり、電子と金属原子が衝突し、アーク放電により発光する。ＨＩＤ放電管は、光量が大きく、その発光色が太陽光に近い白色光であり、夜間における対象物の視認性が高い。
【０００３】
これに対して、現行の自動車用のヘッドランプは、ダブルフィラメントのハロゲンバルブを用いたＨ４タイプと呼ばれるものが主流である。ハロゲンバルブのヘッドランプは、ＨＩＤ放電管を用いたヘッドランプに比べて夜間における対象物の視認性が劣り、また、寿命も短い。このため、現行のダブルフィラメントのハロゲンバルブをＨＩＤ放電管に交換したいという要望が多い。
【０００４】
Ｈ４タイプのダブルフィラメントのヘッドランプは、バルブ内に２つのフィラメントが封入されており、２つのフィラメントを選択的に点灯させることで、ロービームとハイビームとが切り替えられる。
【０００５】
図１１は、現行のＨ４タイプのヘッドランプの構成を示すものである。図１１において、リフレクタ１０２は、パラボラ形状の反射層を有している。リフレクタ１０２は、ランプケース１０３によって覆われている。ランプケース１０３の前面には、図示されない前面レンズが設けられる。リフレクタ１０２及びランプケース１０３に、ハロゲンバルブ１０１が取り付けられる。
【０００６】
ハロゲンバルブ１０１内には、ロービーム用のフィラメント１１２ａとハイビーム用のフィラメント１１２ｂとが封入される。ロービーム用のフィラメント１１２ａの下方には、カットライン配光形成用の反射鏡１１３が設けられる。また、ハイビーム用のフィラメント１１２ｂは、ロービーム用のフィラメント１１２ａより、少し低い位置（地面方向に１．３ｍｍ程度下がった位置）に配置されている。
【０００７】
図１１（Ａ）に示すように、ロービーム用のフィラメント１１２ａが点灯されると、フィラメント１１２ａからの出射ビームＢ１０１がリフレクタ１０２で反射され、その反射光がロービームの出射ビームとなる。ロービーム用のフィラメント１１２ａの下方には、カットライン配光形成用の反射鏡１１３が設けられているため、フィラメント１１２ａから下方に向かうビームは、反射鏡１１３により反射される。
【０００８】
図１１（Ｂ）に示すように、ハイビーム用のフィラメント１１２ｂが点灯されると、フィラメント１１２ｂからの出射ビームＢ１０２がリフレクタ１０２で反射され、その反射光がハイビームの出射ビームとなる。
【０００９】
このように、ダブルフィラメントのＨ４バルブを使う場合には、互いに離れて配置された２つのフィラメント１１２ａ及び１１２ｂを選択的に点灯させることで、ロービームとハイビームとを切り替えることができる。
【００１０】
現行のＨ４タイプのハロゲンバルブ１０１をＨＩＤ放電管に交換した場合、上述のダブルフィラメントのハロゲンバルブ１０１と同様な関係で光源を点灯できれば、ロービームとハイビームとを切り替えることができる。しかしながら、ＨＩＤ放電管の場合には、ハロゲンバルブのように、１つのバルブ内に２つの発光部とを設けることは困難である。
【００１１】
そこで、特許文献１に示すように、ＨＩＤ放電管を動かすことで、ロービームとハイビームとの切り替えを行うことが提案されている。すなわち、図１２（Ａ）及び図１２（Ｂ）に示すように、ＨＩＤ放電管１２１を、電磁ソレノイド等のアクチュエータ１２２により移動可能にしておく。図１２（Ａ）に示すように、ＨＩＤ放電管１２１が矢印Ａ１０１方向に移動され、ＨＩＤ放電管１２１の発光部がロービームの位置Ｌ１に設定されると、ＨＩＤ放電管１２１の発光部からの出射ビームＢ１２１がリフレクタ１０２で反射され、その反射光がロービームの出射ビームとなる。図１２（Ｂ）に示すように、ＨＩＤ放電管１２１が矢印Ａ１０２方向に移動され、ＨＩＤ放電管１２１がハイビームの位置Ｌ２に設定されると、ＨＩＤ放電管１２１からの出射ビームＢ１２２がリフレクタ１０２で反射され、その反射光がハイビームの出射ビームとなる。
【特許文献１】特開２００２−３７３５０９号公報
【発明の開示】
【発明が解決しようとする課題】
【００１２】
しかしながら、上述のように、ＨＩＤ放電管を直接動かす構成では、振動等により、バルブの取り付け部にガタが生じやすい。バルブ取り付け部にガタが生じると、光軸が安定しなくなるという問題が生じる。
【００１３】
本発明は、上述の課題を鑑み、発光部を直接動かすことなく、ロービームとハイビームとの切り替えが行えるようにしたヘッドランプ用放電管ユニット及びヘッドランプを提供することを目的とする。
【課題を解決するための手段】
【００１４】
上述の課題を解決するために、本発明のヘッドランプ用放電管ユニットは、光ビームを発光する放電管と、放電管の発光部の一部を遮蔽する光源遮蔽部と、光源遮蔽部を放電管に沿って移動させるアクチュエータと、放電管からの光ビームの一部を遮光して配光を形成する遮光部とからなり、アクチュエータにより光源遮蔽部を移動させ、ロービーム設定時とハイビーム設定時とに応じて放電管の発光部の一部を遮蔽するようにしたことを特徴とする。
【００１５】
本発明のヘッドランプ用放電管ユニットは、好ましくは、ロービームの光源とハイビームの光源の範囲をカバーする長さの発光部を有することを特徴とする。
【００１６】
本発明のヘッドランプ用放電管ユニットは、好ましくは、光源遮蔽部を、ロービームに設定したときには、放電管の発光部のうちのハイビームの光源となる部分が遮蔽され、ハイビームに設定したときには、放電管の発光部のうちのロービームの光源となる部分が遮蔽されるように移動するようにしたことを特徴とする。
【００１７】
本発明のヘッドランプ用放電管ユニットは、好ましくは、光源遮蔽部を、ロービームに設定したときには、放電管の発光部のうちのハイビームの光源となる部分が遮蔽され、ハイビームに設定したときには、放電管の発光部から外れた移動するようにしたことを特徴とする。
【００１８】
本発明のヘッドランプ用放電管ユニットは、好ましくは、アクチュエータは、電磁ソレノイドであることを特徴とする。また、好ましくは、アクチュエータは、モータであることを特徴とする。
【００１９】
本発明のヘッドランプ用放電管ユニットは、好ましくは、放電管を光軸方向に対して傾斜を有するように配置したことを特徴とする。
【００２０】
本発明のヘッドランプ用放電管ユニットは、好ましくは、光源遮蔽部と遮光部とを一体化し、一体化された光源遮蔽部と遮光部とを放電管に沿って移動させるようにしたことを特徴とする。
【００２１】
本発明のヘッドランプは、好ましくは、遮光部を、放電管に遮光塗料を塗布して形成するようにしたことを特徴とする。
【００２２】
本発明のヘッドランプは、光ビームを発光する放電管と、放電管の発光部の一部を遮蔽する光源遮蔽部と、光源遮蔽部を放電管に沿って移動させるアクチュエータと、放電管からの光ビームの一部を遮光して配光を形成する遮光部とからなり、アクチュエータにより光源遮蔽部を移動させ、ハイビーム設定時とロービーム設定時とに応じて放電管の発光部の一部を遮蔽するようにした放電管ユニットと、放電管ユニットからの光ビームを反射するリフレクタとからなることを特徴とする。
【発明の効果】
【００２３】
本発明のヘッドランプ用放電管ユニットによれば、本発明のヘッドランプ用放電管ユニットは、光ビームを発光する放電管と、放電管の発光部の一部を遮蔽する光源遮蔽部と、光源遮蔽部を放電管に沿って移動させるアクチュエータと、放電管からの光ビームの一部を遮光して配光を形成する遮光部とからなり、アクチュエータにより光源遮蔽部を移動させ、ロービーム設定時とハイビーム設定時とに応じて放電管の発光部の一部を遮蔽するようにしている。このため、バルブを動かすことなく、ロービーム位置とハイビーム位置とに光源を動かすことができる。
【００２４】
本発明のヘッドランプ用放電管ユニットによれば、ロービームの光源とハイビームの光源の範囲をカバーする長さの発光部を有するようにしている。これにより、発光部の一部を遮蔽することにより、ロービームの位置と、ハイビームの位置とに光源を設定できる。
【００２５】
本発明のヘッドランプ用放電管ユニットによれば、光源遮蔽部を、ロービームに設定したときには、放電管の発光部のうちのハイビームの光源となる部分が遮蔽され、ハイビームに設定したときには、放電管の発光部のうちのロービームの光源となる部分が遮蔽されるように移動するようにしている。このように、光源遮蔽部を動かすことにより、等価的に光源を切り替えることができ、バルブを動かすことなく、ロービーム位置とハイビーム位置とに光源を正しく位置させることができる。
【００２６】
本発明のヘッドランプ用放電管ユニットによれば、光源遮蔽部を、ロービームに設定したときには、放電管の発光部のうちのハイビームの光源となる部分が遮蔽され、ハイビームに設定したときには、放電管の発光部から外れた位置に光源遮蔽部を移動するようにしている。これにより、ハイビームに設定したときに、ハイビームとロービームのとが同時に照射されることになり、広い範囲が照射できる。
【００２７】
本発明のヘッドランプ用放電管ユニットによれば、アクチュエータは、電磁ソレノイドである。また、好ましくは、アクチュエータは、モータである。これにより、光源遮蔽部を確実に動かすことができる。
【００２８】
本発明のヘッドランプ用放電管ユニットによれば、放電管を光軸方向に対して傾斜を有するように配置している。このため、光源の位置が正確に設定できる。
【００２９】
本発明のヘッドランプ用放電管ユニットによれば、光源遮蔽部と遮光部とを一体化し、一体化された光源遮蔽部と遮光部とを放電管に沿って移動させるようにしている。このため、部品点数が削減でき、コストダウンが図れる。
【００３０】
本発明のヘッドランプによれば、遮光部を、放電管に遮光塗料を塗布して形成するようにすることで、部品点数の削減が図れる。
【００３１】
本発明のヘッドランプによれば、光ビームを発光する放電管と、放電管の発光部の一部を遮蔽する光源遮蔽部と、光源遮蔽部を放電管に沿って移動させるアクチュエータと、放電管からの光ビームの一部を遮光して配光を形成する遮光部とからなり、アクチュエータにより光源遮蔽部を移動させ、ハイビーム設定時とロービーム設定時とに応じて放電管の発光部の一部を遮蔽するようにした放電管ユニットと、放電管ユニットからの光ビームを反射するリフレクタとからなる。このため、バルブを動かすことなく、ロービーム位置とハイビーム位置とに光源を動かすことができる。
【発明を実施するための最良の形態】
【００３２】
第１実施形態．
以下、本発明の実施の形態について図面を参照しながら説明する。図１（Ａ）及び図１（Ｂ）は、本発明の第１実施形態を示すものである。図１（Ａ）及び図１（Ｂ）において、本発明が適用された放電管ユニット１は、ユニットケース１１と、ＨＩＤ放電管１２と、光源遮蔽板１３と、電磁ソレノイド１４と、遮光板１５とを含む。
【００３３】
ユニットケース１１は、取付部１６により、Ｈ４タイプのヘッドランプのランプケース３に取り付けられるようになっている。ユニットケース１１内には、光源遮蔽板１３を移動させるための電磁ソレノイド１４が設けられる。ユニットケース１１に、ＨＩＤ放電管１２がＺ軸に平行になるように固定される。ＨＩＤ放電管１２の発光部２５を囲むように光源遮蔽板１３が配置され、この光源遮蔽板１３の連接部１３ａが挿入口１８を通じてユニットケース１１内に挿入され、光源遮蔽板１３の連接部１３ａがピン１９により電磁ソレノイド１４の可動部１４ａに連接される。光源遮蔽板１３は、電磁ソレノイド１４の可動部分１４ａに連動して、ＨＩＤ放電管１２に沿って移動する。
【００３４】
ＨＩＤ放電管１２は、図２に示すように、一次電極２１及び二次電極２２が設けられたインナーバルブ２３と、インナーバルブ２３を囲むアウターバルブ２４とからなる。インナーバルブ２３は、例えば石英ガラスで作られており、インナーバルブ２３内には、始動用のキセノンガス（又はアルゴンガス）と、水銀、ナトリウム、金属ハロゲン化合物などの発光用添加金属が封入されている。アウターバルブ２４は、例えば硬質ガラスで作られており、アウターバルブ２４は高真空、又は窒素ガスなどの不活性ガスが封入される。
【００３５】
ＨＩＤ放電管１２を点灯させる際には、図示しないバラスト回路により、一次電極２１と二次電極２２との間に高電圧が印加される。一次電極２１と二次電極２２との間に高電圧が印加されると、インナーバルブ２３内に封入されているキセノンガスが電離して放電が開始する。これによってバルブ内の温度が上昇し、インナーバルブ２３内の金属が蒸発して気体になり、電子と金属原子が衝突し、アーク放電により発光する。したがって、ＨＩＤ放電管１２において、インナーバルブ２３に相当する部分が発光部２５となる。
【００３６】
本発明の実施形態では、後に説明するように、少なくとも、ロービームの光源Ｓ１と、ハイビームの光源Ｓ２とがカバーできるだけの長さの発光部２５を有するＨＩＤ放電管１２が用いられる。すなわち、Ｈ４タイプのヘッドランプでは、ロービームのフィラメントとハイビームのフィラメントとの間が５．５ｍｍから６ｍｍ離れており、これに対応した長さの発光部Ｌｘを有するＨＩＤ放電管１２が用いられる。
【００３７】
図１（Ａ）及び図１（Ｂ）において、電磁ソレノイド１４は、光源遮蔽板１３を、ＨＩＤ放電管１２に沿って移動させるアクチュエータとして働く。電磁ソレノイド１４の可動部１４ａに対して、電磁ソレノイド１４がオフのときに可動部１４ａを一方向に付勢するスプリング１７が設けられる。
【００３８】
図１（Ａ）に示すように、電磁ソレノイド１４が通電され可動部１４ａが矢印Ａ１方向に移動しているときには、光源遮蔽板１３により、ＨＩＤ放電管１２の発光部２５のリフレクタ２（図３参照）に近い側の部分が遮蔽される。図１（Ｂ）に示すように、電磁ソレノイド１４の通電が切断され、可動部１４ａが矢印Ａ２方向に移動すると、光源遮蔽板１３により、ＨＩＤ放電管１２の発光部２５のリフレクタ２から遠い側の部分が遮蔽される。
【００３９】
遮光板１５は、ロービームのカットライン配光形成用の遮光板である。遮光板１５は、ユニットケース１１に取り付けられる。
【００４０】
図１（Ａ）及び図１（Ｂ）に示した放電管ユニット１は、Ｈ４タイプのヘッドランプのハロゲンバルブと交換して使用するように構成される。図３（Ａ）及び図３（Ｂ）は、Ｈ４タイプのヘッドランプのハロゲンバルブの代わりに、図１（Ａ）及び図１（Ｂ）に示した放電管ユニット１を用いた場合の構成を示すものである。
【００４１】
図３（Ａ）及び図３（Ｂ）において、リフレクタ２は、パラボラ形状の反射層を有している。リフレクタ２は、ランプケース３に覆われている。ランプケース３の前面には、前面レンズ（図示せず）が設けられる。放電管ユニット１はリフレクタ２及びランプケース３に取り付けられる。
【００４２】
本発明が適用されたヘッドランプでは、光源遮蔽板１３を移動させることで、光源をリフレクタ２の中心から距離Ｌ１の位置にあるロービームの光源Ｓ１またはリフレクタ２の中心から距離Ｌ２の位置にあるハイビーム光源Ｓ２に切り替えることができる。
【００４３】
すなわち、前述したように、ＨＩＤ放電管１２は、少なくとも、ロービームの光源Ｓ１と、ハイビームの光源Ｓ２とをカバーできるだけの長さの発光部２５を有しているので、図４（Ａ）に示すように、ＨＩＤ放電管１２を点灯させた場合には、ロービームの光源Ｓ１とハイビームの光源Ｓ２とが同時に点灯しているのと等価になる。図４（Ｂ）に示すように、光源遮蔽板１３によりＨＩＤ放電管１２の発光部２５のリフレクタ２に近い側の部分を遮蔽すると、ロービームの光源Ｓ１のみが点灯していることと等価になる。図４（Ｃ）に示すように、発光部２５のリフレクタ２から遠い部分が光源遮蔽板１３で遮蔽されると、ハイビームの光源Ｓ２のみが点灯していることと等価になる。
【００４４】
この実施形態では、ロービームに設定されたときには、図３（Ａ）に示すように、ＨＩＤ放電管１２の発光部２５のリフレクタ２に近い側の部分（ハイビームの光源Ｓ２の部分）が遮蔽されるように、光源遮蔽板１３が動かされる。このため、ロービームの光源Ｓ１のみが点灯されたのと等価になり、光源Ｓ１からの出射ビームＢ１は、リフレクタ２で反射され、その反射光がロービームとなる。ロービームの位置では、光源Ｓ１から下方に向かうビームは、遮光板１５により遮光されるため、ロービームのカットラインの配光が形成される。
【００４５】
ハイビームに設定されたときには、図３（Ｂ）に示すように、ＨＩＤ放電管１２の発光部２５のリフレクタ２から遠い側の部分（ロービームの光源Ｓ１の部分）が遮蔽されるように、光源遮蔽板１３が動かされる。このため、図３（Ｂ）に示すように、ハイビームの光源Ｓ２からの出射ビームＢ２は、リフレクタ２で反射され、その反射光がハイビームとなる。
【００４６】
このように、本発明の第１実施形態によれば、電磁ソレノイド１４により光源遮蔽板１３をＨＩＤ放電管１２に沿って移動させることで、ロービームの位置Ｌ１とハイビームの位置Ｌ２とに、光源を等価的に切り替えることができる。
【００４７】
第２実施形態．
図５（Ａ）及び図５（Ｂ）は、本発明の第２実施形態を示すものである。図５（Ａ）はロービーム設定時を示し、図５（Ｂ）はハイビーム設定時を示している。前述の第１実施形態では、光源遮蔽板１３を移動させるアクチュエータとして電磁ソレノイド１４を用いているが、この第２実施形態では、光源遮蔽板１３を移動させるアクチュエータとして、モータ３４を用いるようにしている。
【００４８】
すなわち、ユニットケース１１内に、モータ３４が設けられる。モータ３４の回転軸に、ウォームギア３５が形成され、このウォームギア３５に、ナット３６が歯合される。光源遮蔽板１３の連接部１３ａが挿入口１８を通じてユニットケース１１内に挿入され、連接部１３ａがピン１９により、ナット３６に連接される。モータ３４の回転軸が回転されると、ナット３６が回転軸に沿って移動し、これにより、光源遮蔽板１３がＨＩＤ放電管１２に沿って移動される。
【００４９】
他の構成については、前述の第１実施形態と同様であり、同一の構成部分に同一符号を付し、その説明を省略する。
【００５０】
第３実施形態．
上述までの実施形態では、ＨＩＤ放電管１２をＺ軸方向に配置し、光源遮蔽板１３をＨＩＤ放電管１２に沿って移動させている。この場合、ロービームのときの光源Ｓ１と、ハイビームのときの光源Ｓ２とは、同一のＺ軸上にある。しかしながら、厳密には、Ｈ４タイプのハロゲンバルブでは、ロービーム用のフィラメントの高さと、ハイビーム用のフィラメントの地上からの高さが異なっており、ハイビーム用のフィラメントの高さがロービームのフィラメントの高さより、例えば１．５ｍｍ程度低くなっている（図１１参照）。したがって、正確な光軸を得るためには、ハイビームの光源Ｓ２の高さがロービームの光源Ｓ１の高さより低くなるようにする必要がある。
【００５１】
図６（Ａ）及び図６（Ｂ）は、本発明の第３実施形態を示すものである。この実施形態では、ＨＩＤ放電管１２がＺ軸方向に対して傾斜を有するように取り付けられている。すなわち、ＨＩＤ放電管１２の先端が上方を向くように、取り付けられる。これにより、ハイビームの光源Ｓ２の高さがロービームの光源Ｓ１の高さより低くなり、正確な光軸が得られる。他の構成については、前述の第１実施形態と同様であり、同一の構成部分に同一符号を付し、その説明を省略する。
【００５２】
第４実施形態．
図７は、本発明の第４実施形態を示すものである。この実施形態は、ＨＩＤ放電管１２に沿って移動する光源遮蔽板１３と、ロービームのカットライン配光形成用の遮光板１５とを一体化したものである。すなわち、この例では、光源遮蔽板１３の先端に、ロービームのカットライン配光形成用の遮光板１５が一体成型される。
【００５３】
図７（Ａ）に示すように、遮光板１５と一体化された光源遮蔽板１３によりＨＩＤ放電管１２の発光部２５のリフレクタ２に近い側の部分が遮蔽されると、ロービームの光源Ｓ１のみ点灯されたのと等価になり、光源Ｓ１からの出射ビームＢ１１は、リフレクタ２で反射され、その反射光がロービームとなる。このとき、光源遮蔽板１３と一体化された遮光板１５が光源Ｓ１の下方に位置し、光源Ｓ１から下方に向かうビームは遮光板１５により遮光されるため、ロービームのカットラインの配光が形成される。
【００５４】
図７（Ｂ）に示すように、遮光板１５と一体化された光源遮蔽板１３により発光部２５のリフレクタ２から遠い部分が光源遮蔽板１３で遮蔽されると、ハイビームの光源Ｓ２のみが点灯されるとの等価になり、光源Ｓ２からの出射ビームＢ１２は、リフレクタ２で反射され、その反射光がハイビームとなる。
【００５５】
このように、この実施形態では、ＨＩＤ放電管１２に沿って移動する光源遮蔽板１３と、ロービームのカットライン配光形成用の遮光板１５とを一体化している。このため、部品点数が削減でき、製造が容易となり、コストの削減が図れる。
【００５６】
第５実施形態．
図８は、本発明の第５実施形態を示すものである。上述の第１実施形態から第４実施形態では、ロービームに設定したときに、光源遮蔽板１３によりＨＩＤ放電管１２の発光部２５のリフレクタ２に近い側の部分を遮蔽してロービームの光源Ｓ１のみを等価的に点灯させ、ハイビームに設定したときには、光源遮蔽板１３によりＨＩＤ放電管１２の発光部２５のリフレクタ２から遠い側の部分を遮蔽してハイビームの光源Ｓ２のみを等価的に点灯させるようにしている。これに対して、この実施形態では、ロービームに設定したときには、光源遮蔽板１３によりＨＩＤ放電管１２の発光部２５のリフレクタ２に近い側の部分を遮蔽してロービームの光源Ｓ１のみを等価的に点灯させ、ハイビームに設定したときには、光源遮蔽板１３をＨＩＤ放電管１２の発光部から外れた所に移動させるようにして、ロービームの光源Ｓ１とハイビームの光源Ｓ２とを同時に点灯したのと等価となるようにしている。
【００５７】
すなわち、図８（Ａ）に示すように、遮光板１５と一体化された光源遮蔽板１３が、ＨＩＤ放電管１２の発光部２５のリフレクタ２に近い側の部分を遮蔽するように移動されると、ロービームの光源Ｓ１のみが点灯されたのと等価になり、光源Ｓ１からの出射ビームＢ２１は、リフレクタ２で反射され、その反射光がロービームとなる。このとき、光源遮蔽板１３と一体化された遮光板１５が光源Ｓ１の下方に位置し、光源Ｓ１から下方に向かうビームは遮光板１５により遮光されるため、ロービームのカットラインの配光が形成される。
【００５８】
図８（Ｂ）に示すように、遮光板１５と一体化された光源遮蔽板１３が発光部２５から外れた位置に移動されると、ロービームの光源Ｓ１と、ハイビームの光源Ｓ２が同時に点灯していると等価になり、光源Ｓ１からの出射ビームＢ２１は、リフレクタ２で反射され、その反射光がロービームとなる。光源Ｓ２からの出射ビームＢ２２は、リフレクタ２で反射され、その反射光がハイビームとなる。
【００５９】
この実施形態では、ハイビームに設定したときには、ロービームの光源とハイビームの光源とが同時に点灯されたのと等価になる。したがって、ハイビームに設定したときには、ロービームの部分からハイビームの部分まで、広い範囲の光が照射できる。
第６実施形態
図９は、本発明の第６実施形態を示すものである。この実施形態では、ロービーム配光を形成する遮光板１５の代わりに、遮光塗料を塗布して、遮光部４１としてものである。すなわち、図９において、発光部２５のロービームの位置の下方に、遮光塗料が塗布されて、ロービーム配光用の遮光部４１が形成される。このように、遮光塗料を塗布して遮光部４１を形成すると、ロービーム配光のための遮光板が不要になり、部品点数が削減できる。
【００６０】
ロービームのときには、図９（Ａ）に示すように、光源遮蔽板１３がＨＩＤ放電管１２の発光部２５のリフレクタ２に近い側の部分を遮蔽するように移動される。このときには、ハイビームの光源Ｓ１のみ点灯されているのと等価になり、光源Ｓ１から下方に向かうビームは遮光塗料を塗布した遮光部４１により遮光されるため、ロービームのカットラインの配光が形成される。図９（Ｂ）に示すように、リフレクタ２から遠い側の部分を遮蔽するように光源遮蔽板１３が移動されると、ハイビームの光源Ｓ２が点灯していると等価になり、光源Ｓ２からの出射ビームＢ２２は、リフレクタ２で反射され、その反射光がハイビームとなる。
【００６１】
第７実施形態
図１０は、本発明の第７実施形態を示すものである。この例では、ロービームのときには、光源遮蔽板１３をＨＩＤ放電管１２の発光部２５のリフレクタ２に近い側の部分が遮蔽されるように移動させ、ハイビームのときには、光源遮蔽板１３を発光部２５から外れた位置に移動されるようにしている。
【００６２】
図１０（Ａ）に示すように、光源遮蔽板１３がＨＩＤ放電管１２の発光部２５のリフレクタ２に近い側の部分を遮蔽するように移動されると、ハイビームの光源Ｓ１のみ点灯されているのと等価になり、光源Ｓ１から下方に向かうビームは遮光塗料を塗布した遮光部４１により遮光されるため、ロービームのカットラインの配光が形成される。図１０（Ｂ）に示すように、光源遮蔽板１３をリフレクタ２に遠い側の部分が遮蔽されるように移動させると、ロービームの光源Ｓ１とハイビームの光源Ｓ２が同時に点灯していると等価になり、光源Ｓ１からの出射ビームＢ２１は、リフレクタ２で反射され、その反射光がロービームとなり、光源Ｓ２からの出射ビームＢ２２は、リフレクタ２で反射され、その反射光がハイビームとなる。
【００６３】
以上説明したように、本発明では、光源遮蔽板１３をＨＩＤ放電管１２に沿って移動させることで、ロービームとハイビームとを切り替えることができる。このように、ＨＩＤ放電管１２を直接動かすことなく、光源の位置を等価的に動かすことができるため、走行中のＨＩＤ放電管１２のガタつき等の問題が生じることがない。
【００６４】
なお、本発明は、上述した実施形態に限定されるものではなく、本発明の要旨を逸脱しない範囲内で様々な変形や応用が可能である。また、本発明の各構成要素を適宜組み合わせるようにしてもよい。
【図面の簡単な説明】
【００６５】
【図１】本発明の第１実施形態の一部断面図である。
【図２】本発明が適用された放電管の構成を示す側面図である。
【図３】本発明の第１実施形態の説明に用いる一部断面図である。
【図４】本発明が適用されたヘッドランプの説明に用いる側面図である。
【図５】本発明の第２実施形態の一部断面図である。
【図６】本発明の第３実施形態の一部断面図である。
【図７】本発明の第４実施形態の説明に用いる一部断面図である。
【図８】本発明の第５実施形態の説明に用いる一部断面図である。
【図９】本発明の第６実施形態の説明に用いる側面図である。
【図１０】本発明の第７実施形態の説明に用いる側面図である。
【図１１】従来のダブルフィラメントのヘッドランプの説明に用いる一部断面図である。
【図１２】従来のヘッドランプの放電管ユニットの説明に用いる一部断面図である。
【符号の説明】
【００６６】
１  放電管ユニット
２  リフレクタ
３  ランプケース
１１  ユニットケース
１２  ＨＩＤ放電管
１３  光源遮蔽板
１４  電磁ソレノイド
１５  遮光板
１６  取付部
１７  スプリング
１８  挿入口
１９  ピン
２１  一次電極
２２  二次電極
２３  インナーバルブ
２４  アウターバルブ
２５  発光部
３４  モータ
３５  ウォームギア
３６  ナット
４１  遮光部
Ｓ１  ロービームの光源
Ｓ２  ハイビームの光源
Ｌ１  リフレクタの中心からロービームの光源Ｓ１までの距離
Ｌ２  リフレクタの中心からハイビームの光源Ｓ２までの距離
【図１】
2005209546.tif 000003
【図２】
2005209546.tif 000004
【図３】
2005209546.tif 000005
【図４】
2005209546.tif 000006
【図５】
2005209546.tif 000007
【図６】
2005209546.tif 000008
【図７】
2005209546.tif 000009
【図８】
2005209546.tif 000010
【図９】
2005209546.tif 000011
【図１０】
2005209546.tif 000012
【図１１】
2005209546.tif 000013
【図１２】
2005209546.tif 000014